(57)【要約】【課題】簡易な構成で外装部材とマウント部材との電気的接続を確実に行えるようにした光学機器アクセサリを提供する【解決手段】光学機器アクセサリ１００は、光学機器２００に対して取り外し可能に結合される導電性を有するマウント部材１４と、該マウント部材のマウント面１４ａに対して平行ではない外装面を形成する導電性を有する外装部材１３と、該外装部材における外装面とは反対側の内面１３ｂとマウント部材におけるマウント面とは反対側の背面１４ｂとに沿って屈曲したスペース３１ｃ内に配置され、外装部材をマウント部材に電気的に接続する導電部材１５とを有する。導電部材は、弾性材と、該弾性材の外面に設けられた又は該弾性材に混合された導電性材料とにより構成され、外装部材の内面とマウント部材の背面とに圧接するように上記スペース内に屈曲および圧縮状態にて配置されている。【選択図】図１
2014056096.tif 000002
【特許請求の範囲】
【請求項１】
光学機器に対して取り外し可能に結合される導電性を有するマウント部材と、
該マウント部材のマウント面に対して平行ではない外装面を形成する導電性を有する外装部材と、
該外装部材における前記外装面とは反対側の内面と前記マウント部材における前記マウント面とは反対側の背面とに沿って屈曲したスペース内に配置され、前記外装部材を前記マウント部材に電気的に接続する導電部材とを有し、
前記導電部材は、弾性材と、該弾性材の外面に設けられた又は該弾性材に混合された導電性材料とにより構成されており、
該導電部材は、前記外装部材の前記内面と前記マウント部材の前記背面とに圧接するように前記スペース内に屈曲および圧縮状態にて配置されていることを特徴とする光学機器アクセサリ。
【請求項２】
前記外装部材および前記マウント部材が取り付けられるベース部材を有しており、
前記ベース部材は、前記スペースを形成するための凹部を有するとともに、該ベース部材に前記外装部材および前記マウント部が取り付けられる前の状態において前記凹部内に配置された前記導電部材を保持する保持部を有することを特徴とする請求項１に記載の光学機器アクセサリ。
【請求項３】
前記ベース部材は、導電性カーボンが混合された樹脂材料により形成されていることを特徴とする請求項２に記載の光学機器アクセサリ。
【請求項４】
請求項１から３のいずれか一項に記載の光学機器アクセサリが装着される光学機器であって、
前記マウント部材が取り外し可能に結合される光学機器側マウント部材と、
該光学機器側マウント部材が電気的に接続されたグランド部とを有することを特徴とする光学機器。
【発明の詳細な説明】
【技術分野】
【０００１】
本発明は、カメラ等の光学機器に取り外し可能に装着される交換レンズ等の光学機器アクセサリに関する。
【背景技術】
【０００２】
内部に電気回路を備えたカメラに、使用者に帯電した静電気のような高電圧電流が印加された場合、内部の電気回路が誤動作したり損傷したりするおそれがある。このため、導電性を有する金属等の材料により形成されたカメラ本体の外装部を、電気回路が搭載されたプリント基板のグランド部と接続して、高電圧電流から電気回路を守るように構成されていることが多い。
【０００３】
また、交換レンズやカメラと一体に設けられたレンズ鏡筒において、レンズ素子を保持する鏡筒部材が、導電性を有する金属や導電性カーボンが混合された樹脂材料により形成されている場合がある。この場合には、鏡筒部材についても静電気のような高電圧電流が印加された場合の対策を施す必要がある。特許文献１には、鏡筒部材を覆う外装カバーが、カメラのグランド部に対して、導電性を有する中継部材を介して接続される構成が開示されている。
【特許文献１】特開２００２−３５７７５７号公報
【発明の概要】
【発明が解決しようとする課題】
【０００４】
交換レンズにおいては、デザイン性の観点から、金属製の外装環が採用される場合がある。交換レンズのカメラ本体への装着は、該交換レンズに設けられた金属製のマウント部（レンズ側マウント部）を、カメラ本体に設けられた金属製のマウント部（カメラ側マウント部）に対してバヨネット結合することにより行われる。カメラ本体では、静電気対策としてカメラ側マウント部がカメラ本体の外装部と共にグランド部に接続されており、交換レンズについても、レンズ側マウント部がカメラ側マウント部に結合されることで静電気対策が取られる。このため、交換レンズでは、金属の外装環とレンズ側マウント部とを確実に電気的に接続して、外装環に印加された高電圧電流をレンズ側マウント部およびカメラ側マウント部を介して確実にグランド部に逃がす必要がある。
【０００５】
しかしながら、特許文献１にて開示された中継部材を用いた構成は、外装環とレンズ側マウント部との電気的接続を行うための構成ではないので、これをそのまま用いることは困難である。しかも、特許文献１の構成は、特別な形状に形成された中継部材（Ｕ字状に折り返し形成した金属板）と外装カバーに接触する導電性の導電性部材とを用いた複雑な構成であるため、この構成を交換レンズに適用できたとしても、交換レンズの大型化を招く。
【０００６】
本発明は、簡易な構成で外装部材とマウント部材との電気的接続を確実に行えるようにした交換レンズ等の光学機器アクセサリを提供する。
【課題を解決するための手段】
【０００７】
本発明の一側面としての光学機器アクセサリは、光学機器に対して取り外し可能に結合される導電性を有するマウント部材と、該マウント部材のマウント面に対して平行ではない外装面を形成する導電性を有する外装部材と、該外装部材における外装面とは反対側の内面とマウント部材におけるマウント面とは反対側の背面とに沿って屈曲したスペース内に配置され、外装部材をマウント部材に電気的に接続する導電部材とを有する。導電部材は、弾性材と、該弾性材の外面に設けられた又は該弾性材に混合された導電性材料とにより構成されている。そして、該導電部材は、外装部材の内面とマウント部材の背面とに圧接するようにスペース内に屈曲および圧縮状態にて配置されていることを特徴とする。
【０００８】
なお、上記光学機器アクセサリのマウント部材が取り外し可能に結合される光学機器側マウント部材と、該光学機器側マウント部材が電気的に接続されたグランド部とを有するカメラ等の光学機器も、本発明の他の一側面を構成する。
【発明の効果】
【０００９】
本発明によれば、簡易な構成で外装部材とマウント部材との電気的接続を確実に行え、該マウント部材を介して外装部材をカメラのグランド部に接続することができる交換レンズ等の光学機器アクセサリを実現することができる。
【図面の簡単な説明】
【００１０】
【図１】本発明の実施例である交換レンズにおける外装環およびマウント部材周辺の拡大断面図。
【図２】実施例の交換レンズの断面図。
【図３】実施例の交換レンズの外観を示す斜視図。
【図４】実施例の交換レンズにおける外装環およびマウント部材周辺の分解斜視図。
【図５】実施例の交換レンズにおける外装環ベースに導電部材を組み込んだ状態を示す斜視図。
【図６】実施例の交換レンズにおける外装環およびマウント部材周辺の分解断面図。
【図７】実施例の交換レンズとこれが装着されたカメラとを示す図。
【発明を実施するための形態】
【００１１】
以下、本発明の実施例について図面を参照しながら説明する。
【００１２】
図７には、本発明の実施例である光学機器アクセサリとしての交換レンズ１００と、該交換レンズ１００が取り外し可能（交換可能）に装着される光学機器としてのカメラ本体（以下、単にカメラという）２００とを有するカメラシステムの概略を示している。
【００１３】
カメラ２００は、シャーシ２０１と、シャーシ２０１に固定された導電性を有する金属製のカメラ側マウント部材（光学機器側マウント部材）２０２と、カメラ側マウント部材２０２と電気的に接続されたグランド部を含むプリント基板２０３とを有する。プリント基板２０３には、カメラ２００の各種動作を制御するためのマイクロコンピュータやメモリ等を含む電気回路が搭載されている。
【００１４】
カメラ側マウント部材２０２には、交換レンズ１００に設けられたレンズ側マウント部材（アクセサリ側マウント部材）１４が取り外し可能にバヨネット結合される。カメラ側マウント部材２０２とプリント基板２０３のグランド部との間には、これらを電気的に接続するためのグランド配線用フレキシブル基板２０６が延びている。レンズ側マウント部材１４がカメラ側マウント部材２０２に結合（装着）されることで、レンズ側マウント部材１４も、カメラ側マウント部材２０２を介してプリント基板２０３のグランド部に電気的に接続される。
【００１５】
上述したプリント基板２０３には、ＣＭＯＳセンサまたはＣＣＤセンサにより構成される撮像素子２０４も実装されている。撮像素子２０４は、交換レンズ１００（撮影光学系）により形成された被写体像を光電変換し、プリント基板２０３に搭載された画像処理プロセッサ（図示せず）は、撮像素子２０４から出力された信号を用いて画像を生成する。２０５は、シャーシ２０１の背面に取り付けられた背面モニタであり、ライブビュー画像や撮影画像を表示する。
【００１６】
図２には交換レンズ１００の詳しい内部構成を示している。図中のＸは、後述する複数のレンズ群によって構成される撮影光学系の光軸である。１は第１レンズ群であり、２は第１レンズ群１を保持する第１鏡筒である。３は第２レンズ群であり、４は第２レンズ群３を保持する第２鏡筒である。５は第３レンズ群ユニットである。第１レンズ群１、第２レンズ群３、第３レンズ群ユニット５および他のレンズ群によって撮影光学系が構成される。
【００１７】
６は案内筒であり、７は案内筒６の外周に配置されて光軸回りで回転可能なカム環である。８は交換レンズの本体を構成する固定鏡筒である。固定鏡筒８は、案内筒６を光軸回りで回転しないように保持（固定）している。
【００１８】
第１鏡筒２、第２鏡筒４および第３レンズ群ユニット５はそれぞれ不図示のコロを有し、該コロは、カム環７に形成された第１鏡筒用カム溝部、第２鏡筒用カム溝部および第３レンズ群用カム溝部に係合している。このため、カム環７を光軸Ｘの回り（光軸回り方向）で回転させることにより、第１鏡筒２（第１レンズ群１）、第２鏡筒４（第２レンズ群３）および第３レンズ群ユニット５を光軸Ｘが延びる方向である光軸方向に移動させることができる。
【００１９】
９はレンズ駆動用ＩＣ等が搭載されたプリント基板であり、光軸回り方向に延びるリング形状に形成されて、固定鏡筒８の後部（像面側の部分）に取り付けられている。
【００２０】
図７にも示したレンズ側マウント部材１４は、導電性を有する真鍮等の金属により形成され、固定鏡筒８の後端部にビスにより固定されている。前述したように、レンズ側マウント部材１４は、カメラ側マウント部材２０２に対してバヨネット結合によって装着される。
【００２１】
図３には、交換レンズ１００の外観を示している。１１は交換レンズ１００にフォーカシングを行わせるために使用者により光軸回り方向にて回転操作されるマニュアルフォーカスリングである。１２は交換レンズ１００に変倍（ズーミング）を行わせるために使用者により光軸回り方向にて回転操作されるマニュアルズームリングである。
【００２２】
１３は導電性を有する金属製の外装部材としての外装環カバーである。外装環カバー１３は光軸方向を中心軸とした外周面（外装面）を有する円筒形状に形成されている。言い換えれば、外装環カバー１３の外面は、レンズ側マウント部材１４のマウント面１４ａに対して平行ではない外装面を形成する。マウント面１４ａは、リング状に形成された面であり、カメラ側マウント部材２０２の光軸方向前端面であるリング状のマウント基準面に対して当接する面である。また、「マウント面１４ａに対して平行ではない」とは、本実施例のようにマウント面１４ａに対して直交する場合だけでなく、マウント面１４ａに対して斜めに傾いている場合も含む。
【００２３】
１３ａは外装環カバー１３の外周面における周方向１箇所に凹部として形成された取り付け指標である。取り付け指標１３ａは、交換レンズ１００をカメラ２００に装着する際にマウント部材１４，２０２間の位相関係を決定する目印となる。また、外装環カバー１３には、レンズ名称１３ｂやズーム位置を示すズーム指標１３ｃ等が表示されている。
【００２４】
図４には、外装環カバー１３およびレンズ側マウント部材１４と、外装環カバー１３を保持するベース部材としての外装環ベース３１と、外装環カバー１３とレンズ側マウント部材１４とを電気的に接続するための導電部材１５とを分解して示している。また、図６には、これらの光軸に沿った断面（光軸方向断面）を示している。さらに、図１（ａ）には図６の一部を拡大して示しており、図１（ｂ）は外装環ベース３１に対して外装環カバー１３が取り付けられた後の状態を示している。また、図５には、外装環ベース３１の外観を示している。
【００２５】
外装環ベース３１は、例えば導電性カーボンファイバーが混合（添加）されたポリカーボネート樹脂材料によって形成され、外装環カバー１３の内側に配置される。外装環ベース３１の外周面に外装環カバー１３の内周面が接着されることにより、外装環カバー１３は外装環ベース３１によって保持される。一方、外装環カバー１３は、例えば０．３ｍｍ程度の厚さを有するアルミ薄板により形成されている。
【００２６】
外装環カバー１３の内周面における上述した取り付け指標１３ａの裏側に相当する部分は凸部として形成されており、外装環ベース３１の周方向１箇所には位相決め凹部３１ａが形成されている。外装環カバー１３を外装環ベース３１に対して組み付ける際に、外装環カバー１３の上記凸部と外装環ベース３１の位相決め凹部３１ａとの位相を合わせる。これにより、取り付け指標１３ａやズーム指標１３ｃと外装環ベース３１との位相関係を精度良く決めることができる。
【００２７】
さらに、外装環ベース３１における周方向1箇所には、図１（ａ）および図６に示す光軸方向断面において、光軸方向とこれに直交する方向とに延びるように９０度屈曲した形状を有する導電部材用凹部３１ｃが形成されている。この凹部３１ｃは、図１（ｂ）から分かるように、外装環カバー１３における外装面とは反対側の内周面（内面）１３ｂとレンズ側マウント部材１４におけるマウント面１４ａとは反対側の背面１４ｂとに沿って屈曲したスペースを形成する。また、外装環ベース３１には、凹部３１ｃの屈曲部分上にて周方向に掛け渡されるように延びる保持部３１ｄが形成されている。
【００２８】
なお、導電部材用凹部３１ｃは必ずしも９０度をなすように屈曲した形状を有する必要はなく、より鈍角をなすように屈曲していてもよい。また、本実施例にいう「屈曲」は、必ずしも明確な角部を形成するように曲がっている（折れ曲がっている）必要はなく、滑らかに曲がっている（湾曲している）場合も含む。
【００２９】
導電部材１５は、弾性材と該弾性材の外面に設けられた導電性材料とにより構成されている。例えば、弾性材としてはポリウレタンが用いられ、その外面が、銅が塗付されたポリイミドからなる導電性フィルムや導電性カーボンファイバー等の導電性クロスで包まれたものが好ましい。また、導電部材１５として、弾性材の内部（全体）に導電性材料が混合（添加）されたものを用いてもよい。
【００３０】
導電部材１５は、弾性材が変形（屈曲や圧縮）可能であるために自由に形状を変えることができ、かつ導電性材料によって良好な導電性が得られる。このような導電部材１５は、例えば汎用品として販売されているテープ状の導電性ガスケットを必要な長さに切断することで容易に作成することができる。
【００３１】
導電部材１５は、図１（ａ）および図６に示すように、レンズ側マウント部材１４が前述した固定鏡筒８に取り付けられる前であり、かつ外装環カバー１３が外装環ベース３１に取り付けられる前に、外装環ベース３１の導電部材用凹部３１ｃに挿入される。これにより、導電部材１５は、凹部３１ｃの形状に沿って屈曲した状態で凹部３１ｃ内に嵌め込まれ、かつ保持部３１ｄにより押さえ込まれて保持される。導電部材１５の下面と凹部３１ｃの底面とは、導電性を有する両面テープ１５ａによって貼り付けられる。この状態では、導電部材１５の一部は、凹部３１ｃから、外装環ベース３１の径方向外側（外周側）および光軸方向後側（像面側）にはみ出している。
【００３２】
外装環ベース３１に導電部材１５を挿入するための凹部３１ｃを形成しておくことで、組み立て時における外装環ベース３１に対する導電部材１５の位置決めを容易に行うことができる。また、外装環ベース３１に保持部３１ｄを設けることで、外装環カバー１３が外装環ベース３１に取り付けられる際に導電部材１５を作業者が指や工具により押さえておかなくても、導電部材１５の位置ずれや脱落を防止できる。このため、組み立てが容易となる。
【００３３】
図１（ａ）および図６に示した状態から、図１（ｂ）に示すように、レンズ側マウント部材１４が固定鏡筒８に取り付けられ、かつ外装環カバー１３が外装環ベース３１に取り付けられる。この際、導電部材１５のうち外装環ベース３１の径方向外側および光軸方向後側にはみ出していた部分が、外装環カバー１３の内周面１３ｂとレンズ側マウント部材１４の背面１４ｂとによって凹部３１ｃ内に押し込まれる。こうして導電部材１５は、凹部３１ｃに沿って屈曲し、かつ圧縮された状態（例えば、元の厚さの約半分の厚さとなるように圧縮された状態）で凹部３１ｃ内、つまりは上記スペース内に収容される。この結果、導電部材１５の弾性材に発生した圧縮状態からの復元力によって、該導電材料１５の外面（導電性材料）が外装環カバー１３の内周面１３ｂとレンズ側マウント部材１４の背面１４ｂとに圧接する。このため、外装環カバー１３とレンズ側マウント部材１４とが導電部材１５（導電性材料）の導電性によって確実に電気的に接続される。
【００３４】
なお、外装環カバー１３がアルミ材料により形成されている場合、その表面には、耐食性や耐摩耗性の向上等を目的としてアルマイト処理が施されることが多い。この場合において、本実施例のように外装環カバー１３の内周面１３ｂに導電部材１５を接触させる場合には、その内周面１３ｂのうち導電部材１５が接触する部分にアルマイト剥離処理が必要となる。このとき、外装環カバー１３におけるアルマイト剥離処理を行う部分の位相は、取り付け指標１３ａを基準として決めることができる。これにより、導電部材１５と外装環カバー１３のうちアルマイト剥離処理を行った部分との位相を確実かつ容易に合わせることができ、これらの間の導通不良を回避することができる。
【００３５】
以上説明したように、本実施例によれば、汎用製品から容易に作成できる導電部材１５を用いて金属製の外装環カバー１３と金属製のレンズ側マウント部材１４とを確実に電気的に接続することができる。図７にて説明したように、レンズ側マウント部材１４は、カメラ側マウント部材２０２を介してプリント基板２０３のグランド部に電気的に接続されている。このため、外装環カバー１３も、導電部材１５、レンズ側マウント部材１４は、カメラ側マウント部材２０２を介してプリント基板２０３のグランド部に電気的に接続される。したがって、外装環カバー１３に印加された静電気等により発生した高電圧電流が交換レンズ１００内やカメラ２００内のプリント基板９，２０３の電気回路に流れ、該電気回路が誤動作したり破損したりすることを回避できる。
【００３６】
また、本実施例では、導電部材１５を圧縮状態にて導電部材用凹部３１ｃ内に収容し、外装環カバー１３およびレンズ側マウント部材１４に圧接させている。これにより、交換レンズ１００に外部から作用した衝撃や経時変化による導電部材１５の外装環カバー１３およびレンズ側マウント部材１４に対する接触不良、つまりは外装環カバー１３からレンズ側マウント部材１４への導通不良を回避することができる。
【００３７】
導電部材１５に代えて板バネを用いる方法も考えられるが、外装環カバー１３とレンズ側マウント部材１４に対する十分な圧接力を得るためには、バネ長を大きくしたり複数の板バネを用いたりする等、交換レンズの大型化や複雑化が問題となる。これに対して、本実施例では、弾性材の表面または内部（全体）に導電性材料を設けた導電部材１５を用いるため、このような大型化や複雑化の問題は生じず、交換レンズ１００の小型化と構成の簡易化が可能である。
【００３８】
なお、上記実施例では、交換レンズ１００のレンズ側マウント部材１４を直接、カメラ２００のカメラ側マウント部材２０２に装着する（結合させる）場合について説明した。しかし、カメラ側マウント部材２０２に、エクステンダやマウント変換アダプタといった不図示の中間アダプタ（光学機器）を結合させ、該中間アダプタに設けられたマウント部材にレンズ側マウント部材１４を結合させてもよい。この場合、外装環カバー１３およびレンズ側マウント部材１４は、中間アダプタのマウント部材およびカメラ側マウント部材２０２を介してカメラ２００内のグランド部に電気的に接続される。
【００３９】
さらに、上記実施例では、光学機器アクセサリとして交換レンズ１００について説明したが、本発明は、上述した中間アダプタやカメラに装着される外部フラッシュといった交換レンズ以外の光学機器アクセサリも他の実施例として含む。
【００４０】
以上説明した各実施例は代表的な例にすぎず、本発明の実施に際しては、各実施例に対して種々の変形や変更が可能である。
【産業上の利用可能性】
【００４１】
静電気対策が施された小型の交換レンズ等のカメラアクセサリを提供できる。
【符号の説明】
【００４２】
１３  外装環カバー
３１  外装環ベース
３１ｃ  凹部
１４  レンズ側マウント部材
１５  導電部材
【図１】
2014056096.tif 000003
【図２】
2014056096.tif 000004
【図３】
2014056096.tif 000005
【図４】
2014056096.tif 000006
【図５】
2014056096.tif 000007
【図６】
2014056096.tif 000008
【図７】
2014056096.tif 000009